【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
複数のキーを有するキー操作手段と、
複数の項目情報を表示手段に表示させる項目表示制御手段と、
前記項目表示制御手段によって表示される複数の項目情報に、前記複数のキーの何れかのキーを示すキー情報を対応付けて前記表示手段に表示させるキー表示制御手段と、
前記項目表示制御手段によって表示される複数の項目情報の何れかの項目情報にカーソルを表示させるカーソル表示制御手段と、
前記複数のキーの何れかが操作された場合に、そのキーを示すキー情報に対応付けられている項目情報に前記カーソルを移動させるカーソル移動手段と、
を備えることを特徴とする情報表示装置。
【請求項２】
前記項目情報を選択状態又は解除状態とする選択手段と、
前記複数のキーの何れかが操作された場合に、その操作されたキーを示すキー情報に対応付けられている項目情報を前記選択手段によって選択状態又は解除状態とする第１の状態制御手段と、
を更に備えることを特徴とする請求項１に記載の情報表示装置。
【請求項３】
第１の状態制御手段は、前記操作されたキーを示すキー情報に対応付けられている項目情報を選択状態とすることを特徴とする請求項２に記載の情報表示装置。
【請求項４】
前記操作されたキーを示すキー情報に対応付けられている項目情報が選択状態となっているか否かを判別する判別手段を更に備え、
第１の状態制御手段は、前記判別手段による判別結果に基づいて、選択状態又は解除状態とすることを特徴とする請求項２に記載の情報表示装置。
【請求項５】
前記選択手段は、前記項目表示制御手段によって表示される複数の項目情報の夫々を、選択状態又は解除状態とすることを特徴とする請求項２に記載の情報表示装置。
【請求項６】
前記キー操作手段は、前記カーソル表示制御手段によってカーソルが表示されている項目情報を選択状態とするための選択キーを更に有することを特徴とする請求項２に記載の情報表示装置。
【請求項７】
前記キー操作手段は、前記カーソル表示制御手段によってカーソルが表示されている項目情報を解除状態とするための解除キーを更に有することを特徴とする請求項２に記載の情報表示装置。
【請求項８】
前記項目表示制御手段によって表示されている前記複数の項目情報以外の他の項目情報を前記表示手段に表示させるスクロール手段と、
前記スクロール手段によって前記他の項目情報を前記表示手段に表示させることにより表示されなくなった前記複数の項目情報の選択状態、解除状態を記憶する記憶手段と、
を更に備えることを特徴とする請求項２に記載の情報表示装置。
【請求項９】
前記キー表示制御手段は、前記スクロール手段によって表示される前記他の項目情報に、前記複数のキーの何れかのキーを示すキー情報を対応付けて前記表示手段に表示させることを特徴とする請求項８に記載の情報表示装置。
【請求項１０】
前記複数の項目情報は、アドレス帳データ、音楽データ、ムービーデータの少なくとも何れか１種類であることを特徴とする請求項１に記載の情報表示装置。
【請求項１１】
前記複数のキーは、ダイアルキーであることを特徴とする請求項１に記載の情報表示装置。
【請求項１２】
複数の項目情報を表示部に表示させる項目表示制御ステップと、
前記項目表示制御ステップによって表示される複数の項目情報に、複数のキーの何れかのキーを示すキー情報を対応付けて前記表示部に表示させるキー表示制御ステップと、
前記項目表示制御ステップによって表示される複数の項目情報の何れかの項目情報にカーソルを表示させるカーソル表示制御ステップと、
前記複数のキーの何れかが操作された場合に、そのキーを示すキー情報に対応付けられている項目情報に前記カーソルを移動させるカーソル移動ステップと、
からなることを特徴とする情報表示方法。
【請求項１３】
コンピュータを、
複数の項目情報を表示部に表示させる項目表示制御手段、
前記項目表示制御手段によって表示される複数の項目情報に、複数のキーの何れかのキーを示すキー情報を対応付けて前記表示部に表示させるキー表示制御手段、
前記項目表示制御手段によって表示される複数の項目情報の何れかの項目情報にカーソルを表示させるカーソル表示制御手段、
前記複数のキーの何れかが操作された場合に、そのキーを示すキー情報に対応付けられている項目情報に前記カーソルを移動させるカーソル移動手段、
として機能させる情報表示プログラム。
【手続補正２】
【補正対象書類名】明細書
【補正対象項目名】０００５
【補正方法】変更
【補正の内容】
【０００５】
本発明は、このような問題に鑑みてなされたものであり、リスト表示すべき項目情報が増えても、従来より備えられている複数の操作キーの操作特性を利用し、操作を容易にすることができる情報表示装置及び情報表示方法を提供することを目的とするものである。
【手続補正３】
【補正対象書類名】明細書
【補正対象項目名】０００６
【補正方法】変更
【補正の内容】
【０００６】
請求項１に記載の発明は、情報表示装置において、複数のキーを有するキー操作手段と、複数の項目情報を表示手段に表示させる項目表示制御手段と、前記項目表示制御手段によって表示される複数の項目情報に、前記複数のキーの何れかのキーを示すキー情報を対応付けて前記表示手段に表示させるキー表示制御手段と、前記項目表示制御手段によって表示される複数の項目情報の何れかの項目情報にカーソルを表示させるカーソル表示制御手段と、前記複数のキーの何れかが操作された場合に、そのキーを示すキー情報に対応付けられている項目情報に前記カーソルを移動させるカーソル移動手段と、を備えることを特徴とする。
【手続補正４】
【補正対象書類名】明細書
【補正対象項目名】０００７
【補正方法】変更
【補正の内容】
【０００７】
請求項２に記載の発明は、請求項１に記載の情報表示装置において、前記項目情報を選択状態又は解除状態とする選択手段と、前記複数のキーの何れかが操作された場合に、その操作されたキーを示すキー情報に対応付けられている項目情報を前記選択手段によって選択状態又は解除状態とする第１の状態制御手段と、を更に備えることを特徴とする。
請求項３に記載の発明は、請求項２に記載の情報表示装置において、第１の状態制御手段は、前記操作されたキーを示すキー情報に対応付けられている項目情報を選択状態とすることを特徴とする。
請求項４に記載の発明は、請求項２に記載の情報表示装置において、前記操作されたキーを示すキー情報に対応付けられている項目情報が選択状態となっているか否かを判別する判別手段を更に備え、第１の状態制御手段は、前記判別手段による判別結果に基づいて、選択状態又は解除状態とすることを特徴とする。
請求項５に記載の発明は、請求項２に記載の情報表示装置において、前記選択手段は、前記項目表示制御手段によって表示される複数の項目情報の夫々を、選択状態又は解除状態とすることを特徴とする。
請求項６に記載の発明は、請求項２に記載の情報表示装置において、前記キー操作手段は、前記カーソル表示制御手段によってカーソルが表示されている項目情報を選択状態とするための選択キーを更に有することを特徴とする。
請求項７に記載の発明は、請求項２に記載の情報表示装置において、前記キー操作手段は、前記カーソル表示制御手段によってカーソルが表示されている項目情報を解除状態とするための解除キーを更に有することを特徴とする。
請求項８に記載の発明は、請求項２に記載の情報表示装置において、前記項目表示制御手段によって表示されている前記複数の項目情報以外の他の項目情報を前記表示手段に表示させるスクロール手段と、前記スクロール手段によって前記他の項目情報を前記表示手段に表示させることにより表示されなくなった前記複数の項目情報の選択状態、解除状態を記憶する記憶手段と、を更に備えることを特徴とする。
請求項９に記載の発明は、請求項８に記載の情報表示装置において、前記キー表示制御手段は、前記スクロール手段によって表示される前記他の項目情報に、前記複数のキーの何れかのキーを示すキー情報を対応付けて前記表示手段に表示させることを特徴とする。
【手続補正５】
【補正対象書類名】明細書
【補正対象項目名】０００８
【補正方法】変更
【補正の内容】
【０００８】
請求項１０に記載の発明は、請求項１に記載の情報表示装置において、前記複数の項目情報は、アドレス帳データ、音楽データ、ムービーデータの少なくとも何れか１種類であることを特徴とする。
請求項１１記載の発明は、請求項１に記載の情報表示装置において、前記複数のキーは、ダイアルキーであることを特徴とする。
【手続補正６】
【補正対象書類名】明細書
【補正対象項目名】０００９
【補正方法】変更
【補正の内容】
【０００９】
請求項１２記載の発明は、情報表示方法であって、複数の項目情報を表示部に表示させる項目表示制御ステップと、前記項目表示制御ステップによって表示される複数の項目情報に、複数のキーの何れかのキーを示すキー情報を対応付けて前記表示部に表示させるキー表示制御ステップと、前記項目表示制御ステップによって表示される複数の項目情報の何れかの項目情報にカーソルを表示させるカーソル表示制御ステップと、前記複数のキーの何れかが操作された場合に、そのキーを示すキー情報に対応付けられている項目情報に前記カーソルを移動させるカーソル移動ステップと、からなることを特徴とする。
【手続補正７】
【補正対象書類名】明細書
【補正対象項目名】００１０
【補正方法】変更
【補正の内容】
【００１０】
請求項１３記載の発明は、情報表示プログラムであって、コンピュータを、複数の項目情報を表示部に表示させる項目表示制御手段、前記項目表示制御手段によって表示される複数の項目情報に、複数のキーの何れかのキーを示すキー情報を対応付けて前記表示部に表示させるキー表示制御手段、前記項目表示制御手段によって表示される複数の項目情報の何れかの項目情報にカーソルを表示させるカーソル表示制御手段、前記複数のキーの何れかが操作された場合に、そのキーを示すキー情報に対応付けられている項目情報に前記カーソルを移動させるカーソル移動手段、として機能させることを特徴とする。
【手続補正８】
【補正対象書類名】明細書
【補正対象項目名】００１１
【補正方法】変更
【補正の内容】
【００１１】
本発明によれば、従来より備えられている複数の操作キーの操作特性を利用し、操作を容易にすることができる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】